(57)【特許請求の範囲】
【請求項１】
座席の側部に配置されたアームレスト本体の先端側に、広幅面と狭幅面とを有する形に形成された物置台部材が前記アームレスト本体の長手方向に沿うシャフトまわりに広幅面を上向きにする状態と、広幅面を側方に向ける状態との間で回動可能に設けられており、  前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることを特徴とする、アームレスト。
【請求項２】
座席の側部に配置されて広幅面と狭幅面とを有する形に形成されたアームレスト本体と、該アームレスト本体の先端側に取付けられて広幅面と狭幅面とを有する形に形成された物置台部材とを備え、前記アームレスト本体および物置台部材がそれぞれ前記アームレスト本体の長手方向に沿うシャフトまわりに広幅面を上向きにする状態と、広幅面を側方に向ける状態との間で回動可能に設けられており、
前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることを特徴とする、アームレスト。
【請求項３】
座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回動可能に設けられており、前記アームレスト本体の先端側に物置台部材が一体に設けられており、
前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることを特徴とする、アームレスト。
【請求項４】
前記カム面は、前記アームレスト本体が収納状態から使用状態への回動途上において開角４０°付近から自動的に使用状態方向に回動作用を働く第１曲縁を有している、請求項１ないし３のいずれか１項に記載のアームレスト。
【請求項５】
前記カム面は、前記アームレスト本体が使用状態から収納状態への回動途上において開角５０°付近を越えると自動的に収納状態方向に回動作用を働く第２曲縁を有している、請求項１ないし４のいずれか１項に記載のアームレスト。
【発明の詳細な説明】
【技術分野】
【０００１】
本発明は、車両や椅子などの座席に取付けられるアームレストに関する。
【背景技術】
【０００２】
この種のアームレストとして、例えば、自動車の座席の側部にアームレスト本体を座席の側部後方にほぼ垂直姿勢となる収納状態と、座席の側部にほぼ水平姿勢となる使用状態との間で回動可能に設置し、アームレスト本体の先端部に、カップホルダー等に使用可能な収納ボックスを組み込んだものがある（例えば、特許文献１参照。）。
【０００３】
【特許文献１】特開平７−２１３３７８号公報
【発明の開示】
【発明が解決しようとする課題】
【０００４】
しかるに、上記のような構成のアームレストでは、アームレスト本体の使用状態で上向きになる肘掛け面、収納ボックスの使用状態で上向きになる物載置面は、いずれも、一定の面積に形成されている。そのため、アームレスト本体の肘掛け面を、たとえば、隣り合って座る者と共同して使用するために広幅に形成するとなると、座席スペースが狭くなる。また、収納ボックスの物載置面を、たとえば、径大のカップを載置可能にするために広幅に形成すると、これ又、座席スペースが狭くなるという問題があった。
【０００５】
本発明の目的は、このような問題を解決するためになされたもので、アームレスト本体や物置台部材の使用面積を十分に確保でき、またそれらの不使用時には座席スペースでの占有スペースの減少を図れて座席スペースの有効利用を図れるアームレストを提供することにある。
また本発明の目的は、軽い手動操作力で使用状態と収納状態に姿勢切換えできて操作性、使い勝手の良好なアームレストを提供することにある。
【課題を解決するための手段】
【０００６】
本発明の請求項１に係る発明のアームレストは、座席の側部に配置されたアームレスト本体の先端側に、広幅面と狭幅面とを有する形に形成された物置台部材が前記アームレスト本体の長手方向に沿うシャフトまわりに広幅面を上向きにする状態と、広幅面を側方に向ける状態との間で回動可能に設けられており、
前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることに特徴を有するものである。
【０００７】
請求項２に係る発明のアームレストは、座席の側部に配置されて広幅面と狭幅面とを有する形に形成されたアームレスト本体と、該アームレスト本体の先端側に取付けられて広幅面と狭幅面とを有する形に形成された物置台部材とを備え、前記アームレスト本体および物置台部材がそれぞれ前記アームレスト本体の長手方向に沿うシャフトまわりに広幅面を上向きにする状態と、広幅面を側方に向ける状態との間で回動可能に設けられており、
前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることに特徴を有するものである。
【０００８】
請求項３に係る発明のアームレストは、座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回動可能に設けられており、前記アームレスト本体の先端側に物置台部材が一体に設けられており、
前記アームレスト本体が前記座席の側部後方にほぼ垂直姿勢となる収納状態と前記座席の側部にほぼ水平姿勢となる使用状態との間でヒンジまわりに上下方向に回動可能に設置されており、
前記ヒンジは、前記アームレスト本体の回動基端側に備えられカム面を有するカム部材と、このカム部材にヒンジ軸回りに回動自在に枢支連結され、前記座席側に取付けられたばね収納ケースと、このばね収納ケース内に上下方向に摺動自在に収納され、前記カム面に摺接する突子を有するカムフォロアと、前記ばね収納ケース内に収納され、前記カムフォロアを常に前記カム面に向けて押付け付勢するばね部材と、を備え、前記カム部材、カムフォロア及びばね部材によって前記アームレスト本体の使用状態への回動方向のトルクに反発するトルクを生じさせてそのバランスにて前記アームレスト本体が所定の回動角度位置に停止保持するようにしてなり、
前記ばね収納ケースは、前記座席の背凭れ部の側部下部に別体に設けられ上面に取付穴を設けたアームレスト支持台の前記取付穴に抜差し可能に差し込まれていることに特徴を有するものである。
【０００９】
請求項４に係る発明のアームレストは、請求項１ないし３のいずれかに記載のアームレストにおいて、前記カム面は、前記アームレスト本体が収納状態から使用状態への回動途上において開角４０°付近から自動的に使用状態方向に回動作用を働く第１曲縁を有する形に形成することができる。
【００１０】
請求項５に係る発明のアームレストは、前記カム面は、前記アームレスト本体が使用状態から収納状態への回動途上において開角５０°付近を越えると自動的に収納状態方向に回動作用を働く第２曲縁を有する形に形成することができる。
【発明の効果】
【００１１】
請求項１記載の発明によれば、広幅面と狭幅面とを有する形に形成された物置台部材がアームレスト本体の長手方向に沿うシャフトまわりに広幅面を上向きにする状態と、広幅面を側方に向ける状態との間で回動可能に設けられているので、物置台部材は使用時には広幅面が上向きになるように回動させることで、その広幅面をカップ、ドリンク缶立てや灰皿、あるいは小物置き等に広く使用することができ、特に径大のカップをも立てることができ、不使用時には広幅面が側方に向くように回動させることで狭い座席スペース内にもコンパクトに納めることができる。
また、アームレストの不使用時には該アームレストを座席の側部後方にほぼ垂直姿勢となるようにヒンジ回りに回動させて収納することにより座席スペースを座席にフルに使用できる。アームレストを収納状態から使用状態に切換えるときは、アームレスト本体の使用状態への回動方向のトルクに反発するトルクがカム部材、カムフォロア及びばね部材により生じてそのバランスにてアームレスト本体は所定回動角度位置で停止保持でき、つまり緩やかな速度で倒すことができる。また、カム部材、カムフォロア及びばね部材によってアームレスト本体の使用状態への回動方向のトルクに反発するトルクを発生させていることで、アームレスト本体を使用状態から手動で持ち上げて収納状態に起こすときに要する操作力を軽減でき、座席に座った姿勢のままでも容易にアームレスト本体を収納状態に収めることができて操作性、使い勝手が良い。
【００１２】
請求項２記載の発明によれば、アームレスト本体および物置台部材がそれぞれアームレスト本体の長手方向に沿うシャフトまわりに広幅面を上向きにする状態と、広幅面を側方に向ける状態との間で回動可能に設けられているので、アームレスト本体又は物置台部材は使用時にはそれぞれの広幅面が上向きになるように回動させることで、アームレスト本体の広幅面は隣り合って座る者と共同して肘掛けに使用することができ、物置台部材の広幅面はカップ立てや灰皿、あるいは小物置き等に使用することができる。そして、アームレスト本体又は物置台部材の不使用時にはそれぞれの広幅面が側方に向くように回動させることで狭い座席スペース内にもコンパクトに納めることができる。
また、請求項１記載の発明と同様に、アームレストの不使用時には該アームレストを座席の側部後方にほぼ垂直姿勢となるように収納することにより座席スペースを座席にフルに使用できる。アームレストを収納状態から使用状態に切換えるときは、アームレスト本体の使用状態への回動方向のトルクに反発するトルクがカム部材、カムフォロア及びばね部材により生じてそのバランスにてアームレスト本体は所定回動角度位置で停止保持でき、つまり緩やかな速度で倒すことができる。また、カム部材、カムフォロア及びばね部材によってアームレスト本体の使用状態への回動方向のトルクに反発するトルクを発生させていることで、アームレスト本体を使用状態から手動で持ち上げて収納状態に起こすときに要する操作力を軽減でき、座席に座った姿勢のままでも容易にアームレスト本体を収納状態に収めることができて操作性、使い勝手が良い。
【００１３】
請求項３記載の発明によれば、座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回動可能に設けられているので、アームレスト本体は使用時には広幅面が上向きになるように回動させることで、その広幅面を隣り合って座る者と共同して肘掛けに使用することができ、不使用時には広幅面が側方に向くように回動させることで狭い座席スペース内にもコンパクトに納めることができる。
また、請求項１記載の発明と同様に、アームレストの不使用時には該アームレストを座席の側部後方にほぼ垂直姿勢となるように収納することにより座席スペースを座席にフルに使用できる。アームレストを収納状態から使用状態に切換えるときは、アームレスト本体の使用状態への回動方向のトルクに反発するトルクがカム部材、カムフォロア及びばね部材により生じてそのバランスにてアームレスト本体は所定回動角度位置で停止保持でき、つまり緩やかな速度で倒すことができる。また、カム部材、カムフォロア及びばね部材によってアームレスト本体の使用状態への回動方向のトルクに反発するトルクを発生させていることで、アームレスト本体を使用状態から手動で持ち上げて収納状態に起こすときに要する操作力を軽減でき、座席に座った姿勢のままでも容易にアームレスト本体を収納状態に収めることができて操作性、使い勝手が良い。
【００１４】
請求項４記載の発明によれば、カム面は、アームレスト本体が収納状態から使用状態への回動途上において開角４０°付近から自動的に使用状態に回動作用を働く第１曲縁を有する形に形成しているので、アームレスト本体を収納状態から使用状態に手動で倒すときに開角４０°付近を越える時点でアームレスト本体から手を離してもスムーズに使用状態にすることができ、座席に座ったままの姿勢でも小さい操作力で容易に使用状態に倒すことができる。
【００１５】
請求項５記載の発明によれば、カム面は、アームレスト本体が使用状態から収納状態への回動途上において開角５０°付近を越えると自動的に収納状態に回動作用を働く第２曲縁を有する形に形成しているので、アームレスト本体を使用状態から収納状態に手動で起こすときに開角５０°付近を越える時点でアームレスト本体から手を離してもばね部材の付勢力で自動的に収納させることができ、座席に座ったままの姿勢でも小さい操作力で容易に収納させることができる。
【発明を実施するための最良の形態】
【００１６】
本発明の好適な実施形態を図面に基づき説明する。図１は本発明の一実施例（請求項１記載の発明に対応）のアームレストを座席に取付けた状態で示す一部破断側面図、図２は図１におけるアームレストのヒンジ部分の拡大断面図、図３は同アームレストの収納状態におけるヒンジ部分の拡大断面図、図４は同アームレストの斜視図、図５は同アームレストの物置台部材の使用状態を示す斜視図、図６は同アームレストのアームレスト本体と物置台部材を接続するシャフト部分の断面図、図７は同アームレストのシャフト部分の分解斜視図である。
【００１７】
図１〜図４において、アームレスト１は座席Ｓの側部に配置されたアームレスト本体２と、このアームレスト本体２の先端部２ｃに取付けられた物置台部材３とを備える。アームレスト本体２は座席Ｓの側部にほぼ水平姿勢となる使用状態（図１の実線Ｐ１で示す状態図参照）と座席Ｓの側部後方にほぼ垂直姿勢となる収納状態（図１の二点鎖線Ｐ２で示す状態図参照）との間でヒンジ５まわりに上下方向に回動可能に設置されている。
【００１８】
一方、物置台部材３は相対向する広幅面３ａ，３ａと、この広幅面３ａ，３ａと隣接して相対向する狭幅面３ｂ，３ｂとを有する断面長方形や断面楕円形状など（図示例では断面長方形状）に形成される。そして、物置台部材３は、これの回動基端部３ｃとアームレスト本体２の先端部２ｃとを突き合せ、且つその突き合せ面間にアームレスト本体２の長手方向に沿うよう組み込まれたシャフト６まわりに広幅面３ａ，３ａを上下向きに、狭幅面３ｂ，３ｂを側方に向ける状態（図４に二点鎖線で示す状態図、図５参照）と、広幅面３ａ，３ａを側方に向け、狭幅面３ｂ，３ｂを上下向きにする状態（図１、図４の実線で示す状態図参照）との間で回動可能に設けている。物置台部材３の広幅面３ａは、図示例ではカップや飲料缶などを立てられる凹部４を設けてカップホルダーに使用できるようにしてなるが、そのほかに、蓋付き灰皿を備えたり、あるいは小物置き等に使用できるように構成したりすることもできる。
【００１９】
シャフト６は、図６、図７に示すように、円周一部に平坦面７ａが形成された取付部７と、この取付部７の一端にフランジ部８を介して一体に突出されかつ円周対向部に平坦面９ａ，９ａが形成された小径軸部９と、この小径軸部９の先端に設けられた雄ねじ１０とからなる。
【００２０】
そして、図６に示すように、シャフト６は取付部７をアームレスト本体２の先端部２ｃに該アームレスト本体２の長手方向に沿うよう挿入され、止めねじ１１で固定される。シャフト６の小径軸部９はアームレスト本体２の先端部２ｃから突出され、物置台部材３の回動基端部３ｃの端面に止めねじ１２で固定された軸受プレート１３の軸受孔１４に挿通される。シャフト６の小径軸部９にはフリクション機構１５を備えるチルトヒンジとしてなり、物置台部材３をシャフト６まわりに回動させると、軸受プレート１３が共に回動し、その際にフリクション機構１５により生じる摩擦力によって、物置台部材３を任意の回動角度で停止保持することができるようになっている。
【００２１】
フリクション機構１５は、図６、図７に示すように、シャフト６の小径軸部９に、その円周一部に係止爪１６ａを有する回動角規制座金１６と座金１７を回り止め状に挿通し、その座金１７と軸受プレート１３の一側面との間にステンレス鋼や燐青銅等の機械的強度及び耐摩耗性に優れる材料からなる第１フリクション座金１８をその中心部に設けた挿通孔１８ａを小径軸部９に挿通させることで配置させている。回動角規制座金１６の係止爪１６ａは、物置台部材３と共に軸受プレート１３が所定角度（例えば、９０度）だけ回動することにより該軸受プレート１３の円周上に設けた切欠１３ａ内の一端壁部１３ｂ又は他端壁部１３ｄに衝当係合するようになしている。これにより、物置台部材３が広幅面３ａを上下向きにする状態と、側方に向ける状態とにそれぞれ確実に停止保持できるようにしている。なお、第１フリクション座金１８にはグリス溜りとなる小孔１８ｂを設けてある。
【００２２】
そして、軸受プレート１３よりその他側面に突出する小径軸部９には、ステンレス鋼や燐青銅等の機械的強度及び耐摩耗性に優れる材料からなる第２フリクション座金１９をその中心部に設けた挿通孔１９ａを小径軸部９に挿通させるとともに、その円周一部に設けた係止爪１９ｃを軸受プレート１３に設けた係止孔１３ｃに係合させることで第２フリクション座金１９の一側面を軸受プレート１３の他側面に一体的に重合固定している。さらに、第２フリクション座金１９の他側面側には、第３フリクション座金２０をその中心部に設けた挿通孔２０ａを小径軸部９に挿通させて配置させる。第２，３フリクション座金１９，２０には、第１フリクション座金１８と同様に、それぞれにグリス溜りとなる小孔１９ｂ、２０ｂを設けてある。
【００２３】
第３フリクション座金２０から突出する小径軸部９の雄ねじ１０には皿形ばね座金２１,押さえ座金２２を介して締付ナット２３を締め付ける。この締付ナット２３の締め付けにより第１フリクション座金１８を軸受プレート１３の一側面に、第３フリクション座金２０を軸受プレート１３の他側面上の第２フリクション座金１９にそれぞれ圧接させている。
【００２４】
しかるときは、物置台部材３を軸受プレート１３と共にシャフト６まわりに回動させることによって、第１フリクション座金１８と軸受プレート１３の一側面との間、および軸受プレート１３の他側面上の第２フリクション座金１９と第３フリクション座金２０との間に摩擦力が発生し、この摩擦力によって物置台部材３を任意の回動角度で停止保持させることができる。
【００２５】
このように広幅面３ａと狭幅面３ｂを有する形に形成された物置台部材３がシャフト６まわりに広幅面３ａを上向きにする状態と、広幅面３ａを側方に向ける状態との間で回動可能に設けられていると、物置台部材３は使用時には広幅面３ａが上向きになるように回動させることで、その広幅面３ａをカップやドリンク缶等を立てるカップホルダーに使用することができ、特に径大のカップをも立てることができる。広幅面３ａは、そのほかに、既述したように灰皿あるいは小物置き等に使用できるように構成することもできる。そして、物置台部材３は、不使用時には広幅面３ａが側方に向くように回動させることで狭い座席スペース内にもコンパクトに納めることができる。
【００２６】
次に、アームレスト１が座席Ｓの側部にほぼ水平姿勢となる使用状態（図１の実線Ｐ１で示す状態図参照）と座席Ｓの側部後方にほぼ垂直姿勢となる収納状態（図１の二点鎖線Ｐ２で示す状態図参照）とにわたって上下方向に回動するようにアームレスト本体２の回動基端部２ｄと座席Ｓ側とを接合するヒンジ５について説明する。
【００２７】
図１〜４に示すように、ヒンジ５は、アームレスト本体２の回動基端部２ｄ下面に取付ビス３０で取付けられてカム面３１を有するカム部材３２と、開口上端部３５ａにカム部材３２をヒンジ軸３４回りに回動自在に枢支連結した断面四角形の有底筒状のばね収納ケース３５と、このばね収納ケース３５内に上下方向に摺動自在に収納され、カム部材３２のカム面３１に摺接する突子３６ａを上端に有する断面四角形状のカムフォロア（スライダー）３６と、ばね収納ケース３５内のカムフォロア３６の下側に収納され、カムフォロア３６を常にカム部材３２のカム面３１に向けて押付け付勢する圧縮コイルばね等によるばね部材３７とを備える。
【００２８】
上記カム部材３２のカム面３１はヒンジ軸３４の軸心を略中心にして描かれる第１曲縁３１ａと、この第1曲縁３１ａに連続して描かれる第２曲縁３１ｂとを有する形に形成されている。上記ばね部材３７は、後述する説明で明らかなようにアームレスト１の自重による使用状態方向のモーメントに抗してカム部材３２を含むアームレスト１に収納状態方向のモーメントを与える強さを有するものが使用される。
【００２９】
ヒンジ５のばね収納ケース３５は座席Ｓ側に背凭れ部Ｂの側面下部に別体に設けられたアームレスト支持台３８を介して取付けられる。すなわち、アームレスト支持台３８の上面に取付穴３９を設け、この取付穴３９にばね収納ケース３５を抜差し可能に差し込むことによりばね収納ケース３８が座席Ｓ側に取付けられる。
【００３０】
次に、上記ヒンジ５の作動について図１〜図３を参照して説明する。
図１の仮想線Ｐ２及び図３はアームレスト１の収納状態を示している。この収納状態では、カム部材３２の第２曲縁３１ｂがカムフォロア３６の突子３６ａに当接してばね部材３７が伸長した状態にあり、これによりアームレスト１の収納状態が保持される。
【００３１】
アームレスト１をこの収納状態から図２に示す使用状態方向にヒンジ５回りに傾倒回動させて行くと、先ず、カム部材３２の第２曲縁３１ｂがカムフォロア３６の突子３６ａに摺動しながら該突子３６ａを押圧することでカムフォロア３６がばね部材３７を縮小させながら押下げられ、引続いて第２曲縁３１ｂと第１曲縁３１ａとの連続部、第１曲縁３１ａがカムフォロア３６をばね部材３７の力に抗して押下げて行くが、このときアームレスト１の使用状態への回動方向のトルクに反発するトルクがカム部材３２、カムフォロア３６及びばね部材３７により生じてそのバランスにてアームレスト１は所定回動角度位置で停止保持でき、つまり緩やかな速度で使用状態に倒すことができる。
上記カム部材３２の第１曲縁３１ａは、アームレスト１が使用状態に達する直前、すなわち開角４０°付近（図１中、仮想線Ｐ３で示す状態）から自動的に使用状態方向（矢印Ｍ方向）に回動作用を働くような曲線に形成している。これにより開角４０°付近を越える時点でアームレスト本体２から手を離してもスムーズに使用状態にすることができ、座席に座ったままの姿勢でも小さい操作力で容易に使用状態に倒すことができる。
【００３２】
アームレスト１の使用状態では、図２に示すように、カムフォロア３６の突子３６ａがカム部材３２の第１曲縁３１ａに位置してばね部材３７が最も圧縮した状態で確実に保持される。
使用後に、アームレスト１を手で持ち上げて収納状態に戻すには、カム部材３２、カムフォロア３６及びばね部材３７によって生じている使用状態への回動方向のトルクに反発するトルクの作用により軽い操作力でアームレスト１を収納状態に戻すことができる。その際、カム部材３２の第２曲縁３１ｂは、アームレスト１が開角５０°付近（図１中、仮想線Ｐ４で示す状態）を越える時点でアームレスト１から手を離してもばね部材３７の付勢力で自動的に収納状態方向（矢印Ｎ方向）に回動作用を働くような曲線に形成している。このようにアームレスト１を使用状態に立ち上げるときに、大きな操作力を必要としないようにしてあるため、座席Ｓに座ったままでもアームレスト１を容易に収納させることができる。
【００３３】
アームレスト１の不使用時には該アームレスト本体２を座席Ｓの側部後方にほぼ垂直姿勢となるように収納することにより座席スペースを座席にフルに使用できる。
【００３４】
図８（ａ），（ｂ）、図９は他の実施例（請求項２記載の発明に対応）を示すアームレストの斜視図である。この実施例では、アームレスト１は相対向する広幅面２ａ，２ａと、この広幅面２ａ，２ａと隣接して相対向する狭幅面２ｂ，２ｂとを有する断面長方形や楕円形状など（図示例では断面長方形状）に形成されたアームレスト本体２と、同じく相対向する広幅面３ａ，３ａと、この広幅面３ａ，３ａと隣接して相対向する狭幅面３ｂ，３ｂとを有する断面長方形や楕円形状など（図示例では断面長方形状）に形成された物置台部材３とを備える。
【００３５】
アームレスト本体２はこれの回動基端部２ｄをアームレスト本体２とは別体のアームレスト後部２５とアームレスト本体２の長手方向に沿うシャフト２６を介して突き合せ接合してなる。これによりアームレスト本体２はアームレスト後部２５に対しシャフト２６まわりに広幅面２ａ，２ａを上下向きに、狭幅面２ｂ，２ｂを側方に向ける状態（図８（ｂ）参照）と、広幅面２ａ，２ａを側方に向け、狭幅面２ｂ，２ｂを上下向きにする状態（図８（ａ）参照）との間で回動可能に設けられている。
一方、物置台部材３はアームレスト本体２の先端部２ｃに該アームレスト本体長手方向に沿うシャフト２７まわりに広幅面３ａ，３ａを上下向きに、狭幅面３ｂ，３ｂを側方に向ける状態（図８（ｂ）参照）と、広幅面３ａ，３ａを側方に向け、狭幅面３ｂ，３ｂを上下向きにする状態（図８（ａ）参照）との間で回動可能に設けられている。
【００３６】
そして、アームレスト後部２５は座席Ｓの背凭れ部Ｂの側面下部に別体に設けられたアームレスト支持台３８にヒンジ２４まわりに上下方向に回動するよう取付けられている。ヒンジ２４は、図９に示すように、アームレスト後部２５の下面にカム部材３２を取付ビス３０で取付ける以外は図２、図３に示す上記実施例のヒンジ５と同じものが使用されるため、同一部材に同一符号を付してその説明を省略する。シャフト２６，２７は上記実施例のヒンジ６と同じように図７に示すごときフリクション機構１５を備えるものが使用される。
【００３７】
この実施例のアームレスト１によれば、アームレスト本体２又は物置台部材３は使用時には各広幅面２ａ，３ａが上向きになるように回動させることで、アームレスト本体２の広幅面２ａは隣り合って座る者と共同して肘掛けに使用することができ、物置台部材３の広幅面３ａはカップ立てや灰皿、あるいは小物置き等に広く使用することができる。そして、アームレスト本体２又は物置台部材３の不使用時には各広幅面２ａ，３ａが側方に向き、各狭幅面２ｂ，３ｂが上下向きになるように回動させることで狭い座席スペース内にもコンパクトに納めることができる。
【００３８】
また、アームレスト後部２５がヒンジ２４まわりに上下方向に回動するよう取付けられているので、アームレスト本体２は物置台部材３ごと座席Ｓの側部後方にほぼ垂直姿勢となる収納状態と、座席Ｓの側部にほぼ水平姿勢となる使用状態（図８（ａ）の実線で示す状態図参照）とにヒンジ２４まわりに切換えることができる。
その際、上記実施例の場合と同様に、アームレスト１をこの収納状態から使用状態方向にヒンジ２４まわりに回動させて行くと、先ず、カム部材３２の第２曲縁３１ｂがカムフォロア３６の突子３６ａに摺動しながら該突子３６ａを押圧することでカムフォロア３６がばね部材３７を縮小させながら押下げられ、引続いて第２曲縁３１ｂと第１曲縁３１ａとの連続部、第１曲縁３１ａがカムフォロア３６をばね部材３７の力に抗して押下げて行くが、このときアームレスト１の使用状態への回動方向のトルクに反発するトルクがカム部材３２、カムフォロア３６及びばね部材３７により生じてそのバランスにてアームレスト１は所定回動角度位置で停止保持でき、つまり緩やかな速度で使用状態に倒すことができる。
また、カム部材３２の第１曲縁３１ａは、アームレスト１が使用状態に達する直前、すなわち開角４０°付近から自動的に倒れる作用を働くような曲線に形成している。これにより開角４０°付近を越える時点でアームレスト本体２から手を離してもスムーズに使用状態にすることができ、座席に座ったままの姿勢でも小さい操作力で容易に使用状態に倒すことができる。
【００３９】
また、上記実施例の場合と同様に、アームレスト１の使用状態では、カムフォロア３６の突子３６ａがカム部材３２の第１曲縁３１ａに位置してばね部材３７が最も圧縮した状態で確実に保持される。
使用後に、アームレスト１を手で持ち上げて収納状態に戻すには、カム部材３２、カムフォロア３６及びばね部材３７によって生じている使用状態への回動方向のトルクに反発するトルクの作用により軽い操作力でアームレスト１を収納状態に戻すことができる。その際、カム部材３２の第２曲縁３１ｂは、アームレスト１が開角５０°付近を越える時点でアームレスト１から手を離してもばね部材３７の付勢力で自動的に収納状態に立ち上がる作用を働くような曲線に形成している。このようにアームレスト１を使用状態に立ち上げるときに、大きな操作力を必要としないようにしてあるため、座席に座ったままでも容易に収納させることができる。
【００４０】
図１０は更に他の実施例（請求項３記載の発明に対応）を示すアームレストの斜視図である。この実施例では、アームレスト１は相対向する広幅面２ａ，２ａと、この広幅面２ａ，２ａと隣接して相対向する狭幅面２ｂ，２ｂとを有する断面長方形や楕円形状など（図示例では断面長方形状）に形成されたアームレスト本体２を備え、物置台部材３はアームレスト本体２の先端側に一体に形成している。このアームレスト本体２は、図９に示す実施例の場合と同様に、その回動基端部２ｄが座席Ｓの背凭れ部Ｂの側面下部に別体に設けたアームレスト支持台３８にヒンジ２４まわりに上下方向に回動するよう取付けられたアームレスト後部２５に、アームレスト本体２の長手方向に沿うシャフト２６まわりに広幅面２ａ，２ａを側方に向け、狭幅面２ｂ，２ｂを上下向きにする状態（図１０の実線状態図参照）と、広幅面２ａ，２ａを上下向きに、狭幅面２ｂ，２ｂを側方に向ける状態との間で回動可能に設けられている。なお、ヒンジ２４は図９に示す上記実施例のヒンジ２４と同じものが使用され、シャフト２６は図７に示す上記実施例のヒンジ６と同じようにフリクション機構１５を備えるものが使用される。
【００４１】
この実施例のアームレスト１においても、アームレスト本体２は使用時には広幅面２ａが上向きになるように回動させることで、その広幅面２ａを隣り合って座る者と共同して肘掛けに使用することができ、不使用時には広幅面２ａが側方に向くように回動させることで狭い座席スペース内にもコンパクトに納めることができる。
【００４２】
また、上記実施例の場合と同様に、アームレスト１をこの収納状態から使用状態方向にヒンジ２４まわりに回動させて行くとき、アームレスト１の使用状態への回動方向のトルクに反発するトルクがカム部材３２、カムフォロア３６及びばね部材３７により生じてそのバランスにてアームレスト１は所定回動角度位置で停止保持でき、つまり緩やかな速度で使用状態に倒すことができる。その際、カム部材３２の第１曲縁３１ａは、アームレスト１が使用状態に達する直前、すなわち開角４０°付近から自動的に倒れる作用を働くような曲線に形成することによりアームレスト本体２から手を離してもスムーズに使用状態にすることができ、座席に座ったままの姿勢でも小さい操作力で容易に使用状態に倒すことができることは上記実施例の場合と同様である。
【００４３】
また、アームレスト１の使用状態では、カムフォロア３６の突子３６ａがカム部材３２の第１曲縁３１ａに位置してばね部材３７が最も圧縮した状態で確実に保持されること、使用後に、アームレスト１を手で持ち上げて収納状態に戻すには、カム部材３２、カムフォロア３６及びばね部材３７によって生じている使用状態への回動方向のトルクに反発するトルクの作用により軽い操作力でアームレスト１を収納状態に戻すことができること、更に、その際、カム部材３２の第２曲縁３１ｂは、アームレスト１が開角５０°付近を越える時点でアームレスト１から手を離してもばね部材３７の付勢力で自動的に収納状態に立ち上がる作用を働くような曲線に形成することにより座席に座ったままでも容易に収納させることができることは上記実施例の場合と同様である。
【００４４】
なお、本発明のアームレストは自動車や電車の座席のみならず、その他に椅子等にも同様に適用できることは言うまでもない。
【図面の簡単な説明】
【００４５】
【図１】本発明の一実施例のアームレストを座席に取付けた状態で示す一部破断側面図である。
【図２】図１におけるアームレストのヒンジ部分の拡大図である。
【図３】同アームレストの収納状態におけるヒンジ部分の拡大断面図である。
【図４】同アームレストの斜視図である。
【図５】同アームレストの物置台部材の使用状態を示す斜視図である。
【図６】同アームレストのアームレスト本体と物置台部材を接続するシャフト部分の断面図である。
【図７】同アームレストのシャフト部分の分解斜視図である。
【図８】他の実施例を示すアームレストの斜視図であり、（ａ）はアームレスト本体と物置台部材をそれぞれの狭幅面を上向きにした状態図、（ｂ）はアームレスト本体と物置台部材をそれぞれの広幅面を上向きにした状態図である。
【図９】図７におけるアームレストのヒンジ部分の拡大図である。
【図１０】更に他の実施例を示すアームレストの斜視図であり、アームレスト本体と物置台部材をそれぞれの狭幅面を上向きにした状態図である。
【符号の説明】
【００４６】
Ｓ  座席
１  アームレスト
２  アームレスト本体
２ａ  アームレスト本体の広幅面
２ｂ  アームレスト本体の狭幅面
３  物置台部材
３ａ  物置台部材の広幅面
３ｂ  物置台部材の狭幅面
５，２４  ヒンジ
２６，２７  シャフト
３１  カム面
３２  カム部材
３４  ヒンジ軸
３５  ばね収納ケース
３６  カムフォロア
３６ａ  突子
３７  ばね部材
３８ アームレスト支持台
３９ 取付穴
【図１】
0004465322.tif 000002
【図２】
0004465322.tif 000003
【図３】
0004465322.tif 000004
【図４】
0004465322.tif 000005
【図５】
0004465322.tif 000006
【図６】
0004465322.tif 000007
【図７】
0004465322.tif 000008
【図８】
0004465322.tif 000009
【図９】
0004465322.tif 000010
【図１０】
0004465322.tif 000011